(57)【特許請求の範囲】
【請求項１】
滅菌器本体内に前面開口の横型チャンバーが設けられ、前記滅菌器本体にヒンジ部で回動可能に支持された開閉部材に前記チャンバーの前面開口を密閉する蓋を備え、前記チャンバー内に収納された被滅菌物を高圧蒸気下で滅菌する高圧蒸気滅菌器であって、前記蓋によって前記チャンバーの前面開口を閉じる状態へ回動した前記開閉部材をロックするロック手段と、前記高圧蒸気滅菌器の作動中は前記ロックの解除を阻止するソレノイド式ロック装置と、回転ハンドルの回転によって前記開閉部材に対する前記蓋の位置を調節可能とした蓋位置調節装置と、前記回転ハンドルの逆回転阻止手段を備え、前記蓋位置調節装置は、前記回転ハンドルのハンドル軸が前記開閉部材を貫通状態で螺合し前記回転ハンドルの先端部に前記蓋が取り付けられ、前記回転ハンドルの逆回転阻止手段は、前記ハンドル軸の円周面に多数の係止歯を形成したラチェット歯部と、ハンドル用ソレノイドによって前記ラチェット歯部に対して噛み合い状態と非噛み合い状態とに回動作動する係止爪部材を前記開閉部材に備え、前記高圧蒸気滅菌器の作動中は前記係止爪部材が前記係止歯に係止して前記回転ハンドルの回転を阻止状態とし、
前記蓋には前記滅菌器本体に対して前記蓋が正規の閉じた状態（前記蓋が前記チャンバーの前面開口を密閉する状態）になったことを検出する閉蓋検出スイッチを備え、前記ロック手段は、前記開閉部材の回動に伴って滅菌器本体側の係止部に係止するロック状態と非ロック状態とに回動するよう前記開閉部材に支持されたロックアームを備え、前記ソレノイド式ロック装置は、前記開閉部材に取り付けたロックソレノイドと、前記高圧蒸気滅菌器の作動中は前記ロックアームをロック状態に保持するように前記ロックソレノイドによって作動するプランジャを備え、前記閉蓋検出スイッチの検出に基づき前記ハンドル用ソレノイドの動作にて前記係止爪部材が前記係止歯に係止して前記回転ハンドルの回転を阻止状態とすることを特徴とする高圧蒸気滅菌器。
【発明の詳細な説明】
【技術分野】
【０００１】
本発明は、主として病院等に設置して医療用器具等の被滅菌物を高圧蒸気下で滅菌する
高圧蒸気滅菌器に関する。
【背景技術】
【０００２】
滅菌器本体内に設けた上面開口のチャンバーと、前記滅菌器本体の上部に開閉自在に支
持された蓋ハウジングに前記チャンバーの上面開口を密閉する蓋を備え、前記チャンバー
内に収納された被滅菌物を高圧蒸気下で滅菌する高圧蒸気滅菌器において、前記滅菌器本
体の前面底部に足踏み式ペダルを設け、このペダルの走査によって蓋を開くようにしたも
のがある。（特許文献１参照）。
【特許文献１】特開２００５−６９２７号公報
【発明の開示】
【発明が解決しようとする課題】
【０００３】
この特許文献１の構成では、ペダルを足で踏むことによって蓋を開くことができるため
、手が塞がれている状態での操作性が向上するが、滅菌工程を開始した高圧蒸気滅菌器の
作動中は、蓋が確実に閉じた状態を維持して安全を確保し、滅菌工程が完了した安全状態
で蓋を開成できるような安全装置についての技術が開示されていない。
【０００４】
本発明は、特許文献１のような縦型チャンバーではなく、前面開口の横型チャンバーを
採用した高圧蒸気滅菌器を提供するものであり、この横型チャンバーにおいて、滅菌工程
を開始した高圧蒸気滅菌器の作動中は、蓋が確実に閉じた状態を維持して安全を確保し、
滅菌工程が完了した安全状態で蓋を開成できるように、安全面に配慮した高圧蒸気滅菌器
を提供するものである。
【課題を解決するための手段】
【０００５】
第１発明の高圧蒸気滅菌器は、滅菌器本体内に前面開口の横型チャンバーが設けられ、前記滅菌器本体にヒンジ部で回動可能に支持された開閉部材に前記チャンバーの前面開口を密閉する蓋を備え、前記チャンバー内に収納された被滅菌物を高圧蒸気下で滅菌する高圧蒸気滅菌器であって、前記蓋によって前記チャンバーの前面開口を閉じる状態へ回動した前記開閉部材をロックするロック手段と、前記高圧蒸気滅菌器の作動中は前記ロックの解除を阻止するソレノイド式ロック装置と、回転ハンドルの回転によって前記開閉部材に対する前記蓋の位置を調節可能とした蓋位置調節装置と、前記回転ハンドルの逆回転阻止手段を備え、前記蓋位置調節装置は、前記回転ハンドルのハンドル軸が前記開閉部材を貫通状態で螺合し前記回転ハンドルの先端部に前記蓋が取り付けられ、前記回転ハンドルの逆回転阻止手段は、前記ハンドル軸の円周面に多数の係止歯を形成したラチェット歯部と、ハンドル用ソレノイドによって前記ラチェット歯部に対して噛み合い状態と非噛み合い状態とに回動作動する係止爪部材を前記開閉部材に備え、前記高圧蒸気滅菌器の作動中は前記係止爪部材が前記係止歯に係止して前記回転ハンドルの回転を阻止状態とし、前記蓋には前記滅菌器本体に対して前記蓋が正規の閉じた状態（前記蓋が前記チャンバーの前面開口を密閉する状態）になったことを検出する閉蓋検出スイッチを備え、前記ロック手段は、前記開閉部材の回動に伴って滅菌器本体側の係止部に係止するロック状態と非ロック状態とに回動するよう前記開閉部材に支持されたロックアームを備え、前記ソレノイド式ロック装置は、前記開閉部材に取り付けたロックソレノイドと、前記高圧蒸気滅菌器の作動中は前記ロックアームをロック状態に保持するように前記ロックソレノイドによって作動するプランジャを備え、前記閉蓋検出スイッチの検出に基づき前記ハンドル用ソレノイドの動作にて前記係止爪部材が前記係止歯に係止して前記回転ハンドルの回転を阻止状態とすることを特徴とする。
【発明の効果】
【０００７】
第１発明では、前面開口の横型チャンバーを採用した高圧蒸気滅菌器において、回転ハ
ンドルの回転によって開閉部材に対する蓋の位置を調節することにより、横型チャンバー
の前面開口を確実に密閉する位置に蓋を設定できる。即ち、ロック手段によって開閉部材
をロックした状態で、回転ハンドルの回転によって横型チャンバーの前面開口を密閉する
位置に蓋を移動させるか、または、予め開閉部材に対する蓋の位置を設定してから、開閉
部材をロック手段によってロックする状態まで回動させることにより、横型チャンバーの
前面開口を蓋が確実に密閉することができる。そして、高圧蒸気滅菌器の作動中は、蓋に
よってチャンバーの前面開口を閉じるように開閉部材を回動させたその状態をロック手段
によってロックするため、滅菌工程中に誤って開閉部材を開く方向へ回動されない。また
、滅菌工程中に誤ってハンドルを蓋が開く方向へ回動操作されても、係止爪部材が係止歯
に係止して回転ハンドルの回転を阻止状態とするため、高圧蒸気滅菌器の作動中の安全確
保に適したものとなる。
【０００８】
また、高圧蒸気滅菌器の動作中はロックソレノイドによって作動するプランジャによってロックアームをロック状態に保持することにより、滅菌工程中に誤って開閉部材を開く方向へ回動できない状態を維持できる。また、蓋が密閉状態となったことを閉蓋検出スイッチが検出したことに基づき、ハンドル用ソレノイドが動作して係止爪部材が係止歯に係止して回転ハンドルの回転を阻止状態とするため、蓋が密閉状態となったか否かを確認できると共に、高圧蒸気滅菌器の作動中はこの蓋の密閉状態を維持できるため、安全確保に適したものとなる。
【発明を実施するための最良の形態】
【０００９】
本発明の高圧蒸気滅菌器は、滅菌器本体２内に前面開口の横型チャンバー４が設けられ
、前記滅菌器本体２にヒンジ部１８で回動可能に支持された開閉部材３に前記チャンバー
４の前面開口を密閉する蓋５を備え、前記チャンバー内に収納された被滅菌物を高圧蒸気
下で滅菌する高圧蒸気滅菌器１であって、前記蓋５によって前記チャンバー４の前面開口
を閉じる状態へ回動した前記開閉部材３をロックするロック手段ＬＫと、前記高圧蒸気滅
菌器１の作動中は前記ロックの解除を阻止するソレノイド式ロック装置２４と、回転ハン
ドルの回転によって前記開閉部材３に対する前記蓋５の位置を調節可能とした蓋位置調節
装置と、前記回転ハンドルの逆回転阻止手段を備え、前記蓋位置調節装置は、前記回転ハ
ンドルのハンドル軸が前記開閉部材３を貫通状態で螺合し前記回転ハンドルの先端部に前
記蓋５が取り付けられ、前記回転ハンドルの逆回転阻止手段は、前記ハンドル軸に円周面
に多数の係止歯を形成したラチェット歯部と、前記開閉部材３にはハンドル用ソレノイド
によって前記ラチェット歯部に対して噛み合い状態と非噛み合い状態とに回動作動する係
止爪部材を備え、前記高圧蒸気滅菌器１の作動中は前記係止爪部材が前記係止歯に係止し
て前記回転ハンドルの回転を阻止状態とするものであり、本発明の実施例を以下に記載す
る。
【実施例１】
【００１０】
本発明の実施形態について説明する。図１は本発明に係る高圧蒸気滅菌器の正面斜視図
、図２は本発明に係る高圧蒸気滅菌器の開閉部材３に係る部分の構成を示す正面斜視図、
図３は本発明に係る高圧蒸気滅菌器の開閉部材３を省略した状態の構成を示す正面斜視図
、図４は本発明に係る高圧蒸気滅菌器のロックアーム１０の状態を示す側面斜視図、図５
は本発明に係る高圧蒸気滅菌器の回転ハンドルの逆回転阻止手段（機構）３００のを動作
状態説明図、図６は本発明に係る高圧蒸気滅菌器の閉蓋検出スイッチ部分斜視図である。
【００１１】
図において、１は本発明の高圧蒸気滅菌器である。高圧蒸気滅菌器１は、滅菌器本体２
内に前面開口の横型チャンバー４が設けられ、滅菌器本体２の前面に一側部（図では右側
）がヒンジ部１８で回動可能に支持された開閉部材３を備え、開閉部材３の裏側にはチャ
ンバー４の前面開口４Ａを密閉する蓋５を備えており、チャンバー４内に被滅菌物を収納
し、開閉部材３を閉じて蓋５がチャンバー４の前面開口４Ａを密閉した状態において、高
圧蒸気滅菌器１を運転して、チャンバー４内を高温高圧状態とし、被滅菌物の滅菌が行な
われる。蓋５によってチャンバー４の前面開口４Ａを良好な密閉状態とするために、蓋５
の裏側周縁環状部がチャンバー４の前面開口４Ａの前端部分に覆い被さる構成である。
【００１２】
開閉部材３が滅菌器本体２に近接するように回動したとき、蓋５がチャンバー４の前面
開口４Ａを確実に密閉する構成でなければならない。このため、開閉部材３に対する蓋５
の位置を調節可能とした蓋位置調節装置２００を備えている。蓋位置調節装置２００は、
回転ハンドル２０１のハンドル軸２０２の螺子部２０３が開閉部材３を貫通状態で螺合し
、回転ハンドル２０１の先端部に蓋５が回転可能に取り付けられ、回転ハンドル２０１の
回転によって開閉部材３と蓋５との間隔が調節できる構成（開閉部材３に近づいた状態と
遠ざかった状態の調節）である。
【００１３】
また、高圧蒸気滅菌器１の作動中（滅菌工程中）に蓋５が開くことにより高温高圧蒸気
が漏れる危険を防止するため、蓋５によってチャンバー４の前面開口を閉じる状態へ回動
した開閉部材３をロックするロック手段（機構）ＬＫと、高圧蒸気滅菌器１の作動中はこ
のロックの解除を阻止するソレノイド式ロック装置２４と、回転ハンドル２０１の逆回転
阻止手段（機構）３００を備えている。更に、蓋５がチャンバー４の前面開口４Ａを密閉
する状態になったことを検出するために、閉蓋検出スイッチ７を蓋５に備えている。
【００１４】
ロック手段ＬＫは、開閉部材３の回動に伴って滅菌器本体２側の係止部１１（チャンバ
ー４の前面開口周縁フランジ部、または滅菌器本体２に特別に設けた係止部）に係止する
ロック状態と、この係止が解除される非ロック状態とに回動するように、ヒンジ部１８と
は反対側端部で開閉部材３に支持されたロックアーム１０を備えている。ロックアーム１
０は、その前部が開閉部材３に軸部８で回動可能に支持され、滅菌器本体２の前壁２Ａを
貫通した後部に爪部１０Ａを形成し、コイルバネ１９によって、後部の爪部１０Ａが係止
部１１に係止するロック状態の方向へ付勢されている。このため、滅菌器本体２に対して
開閉部材３を開いた状態から正規の閉じる状態（蓋５がチャンバー４の前面開口４Ａを閉
じる状態）に操作したとき、係止部１１は、ロックアーム１０の爪部１０Ａの後面に内側
に傾斜した傾斜面１０Ｂに当接し、開閉部材３が閉じられることに伴って、係止部１１が
傾斜面１０Ｂを押す作用によって、コイルバネ１９の作用力に抗して、ロックアーム１０
の爪部１０Ａが外方へ逃げるように、ロックアーム１０が回動する。この作用によって、
係止部１１が爪部１０Ａを通り過ぎたとき、コイルバネ１９の作用力によって、ロックア
ーム１０が復帰し、爪部１０Ａが係止部１１の後面に係止する状態となり、蓋５がチャン
バー４の前面開口４Ａを密閉する状態となる。
【００１５】
開閉部材３には、ロックアーム１０をロック状態から非ロック状態に回動させるための
操作取っ手１２を備えている。操作取っ手１２は、その上下辺１２Ａがヒンジ部１８とは
反対側の部分で開閉部材３に軸部１３（軸部８と同軸構成）で回動可能に支持され、上下
辺１２Ａの後部に渡るロック解除部１４（図では棒１４で示している）がロックアーム１
０の内側に位置している。
【００１６】
コイルバネ１９の作用力によってロックアーム１０の爪部１０Ａが係止部１１の後面に
係止する状態において、操作取っ手１２を引っ張ることによって操作取っ手１２が軸部１
３を中心として図２で反時計方向（矢印Ｙ方向）へ回動し、それによってロック解除部１
４がコイルバネ１９の作用力に抗してロックアーム１０を反時計方向へ回動させ、爪部１
０Ａが係止部１１の後面から外れた外方位置へ回動して非ロック状態となる。この状態で
、そのまま握り取っ手１２を前方へ引きことにより、開閉部材３がヒンジ部１８を中心と
して前方へ回動して開かれ、それに伴って、蓋５がチャンバー４の前面開口４Ａを開放し
、チャンバー４内の被滅菌物を取り出すことができる状態、またはチャンバー４内に被滅
菌物を収納可能な状態となる。
【００１７】
上記のように、操作取っ手１２を引っ張ることによって、蓋５のロック状態が外れるた
め、高圧蒸気滅菌器１の運転中に、この操作がなされるとチャンバー４内の高圧蒸気が漏
れて危険である。このため、高圧蒸気滅菌器１の運転中は、操作取っ手１２によってロッ
ク手段ＬＫによるロック状態の解除操作が行われないようにするために、操作取っ手１２
の作動を阻止するソレノイド式ロック装置２４を開閉部材３に設けている。具体的には、
ソレノイド式ロック装置２４は、開閉部材３の下面に取り付けたロックソレノイド２５と
、高圧蒸気滅菌器１の作動中は、ロックアーム１０をロック状態に保持するように、ロッ
クソレノイド２５の通電のＯＮ又はＯＦＦによって長く突出作動するプランジャ２６を備
えている。
【００１８】
ソレノイド２５のＯＮ又はＯＦＦによって突出したプランジャ２６が、操作取っ手１２
の一部である下辺１２Ａの孔２７を貫通する。このため、操作取っ手１２を操作して上記
ロック状態の解除を行なおうとしても、操作取っ手１２を回動できず、ロックアーム１０
の爪部１０Ａが係止部１１に係止しているロック状態を外すことができない構成である。
【００１９】
一つの方法として、ソレノイド２５は、非通電（ＯＦＦ）によってプランジャ２６を退
避させて、操作取っ手１２を引っ張ることによって、開閉部材３を前方へ引いて開く（蓋
５がチャンバー４の前面開口４Ａを開く）ことができる非ロック状態とし、通電（ＯＮ）
によってプランジャ２６を突出させ、上記のように操作取っ手１２をロック状態に拘束し
て、蓋ハウジング３を開くことができない状態（蓋５がチャンバー４の前面４Ａを閉じた
状態）とするように制御することができる。この場合、高圧蒸気滅菌器１の電源スイッチ
のＯＮ状態において、チャンバー４内の温度と圧力が低下した安全状態であれば、制御部
に基づきソレノイド２５を非通電（ＯＦＦ）として非ロック状態とし、高圧蒸気滅菌器１
の運転中はソレノイド２５を通電（ＯＮ）としてロック状態とする。そして、滅菌動作を
行い所定の運転モードの終了によってチャンバー４内の温度と圧力が低下した安全状態に
おいて、制御部に基づき、ソレノイド２５を非通電（ＯＦＦ）して、蓋ハウジング３を開
く（蓋５がチャンバー４の前面開口４Ａを開く）ことができる非ロック状態となる。また
、高圧蒸気滅菌器１の運転中の停電や電源スイッチのＯＦＦ等に基づく電源ＯＦＦの際に
は、ソレノイドが非通電（ＯＦＦ）となるため、操作取っ手１２がロック状態で拘束され
ることはない。
【００２０】
なお、操作取っ手１２をソレノイド式ロック装置２４がロックした取っ手ロック状態を
検出するために、操作取っ手ロック検出スイッチ２８を、操作取っ手１２の下辺１２Ａに
設け、ソレノイド２５のＯＮ又はＯＦＦによって長く突出したプランジャ２６によって、
スイッチ２８を作動させ、このデータ（情報又は信号）を制御部が受けて、ロック状態を
確認した状態で所定の運転モードを開始できるようにすることができる。そして、所定の
運転モードの終了によって、チャンバー４内の温度と圧力が低下した安全状態において、
ソレノイド２５をＯＮ又はＯＦＦしてプランジャ２６を退避させる。これによって操作取
っ手１２のロック状態が解除され、操作取っ手１２によって開閉部材３を前方へ引く（蓋
５がチャンバー４の前面開口４Ａを開く）ことができる状態となる。
【００２１】
蓋５が偏って閉じられる等、正規の閉じられ方をしていない場合には、蓋５がチャンバ
ー４の前面開口４Ａを密閉する状態が不十分な状態となるため、この不十分な状態で高圧
蒸気滅菌器１の運転を開始すると、チャンバー４内の高圧蒸気が漏れて危険である。これ
を防止するために、蓋５には滅菌器本体２に対して蓋５が正規の閉じた状態（蓋５がチャ
ンバー４の前面開口４Ａを密閉する状態）になったことを検出する閉蓋検出スイッチ装置
７を備えている。この閉蓋状態の検出を正確に行なうために、閉蓋検出スイッチ装置７は
、ヒンジ部１８とは反対側の位置となる前側部分において、図６に示すように、蓋５に取
り付けた保持部材２０に横配列で閉蓋検出スイッチ７Ａ、７Ｂを設けている。
【００２２】
蓋５を閉じることによって閉蓋検出スイッチ７Ａ、７Ｂを作動するために、作動棒２１
Ａ、２１Ｂが設けられている。具体的には、それぞれの閉蓋検出スイッチ７Ａ、７Ｂのそ
れぞれの作動体７Ａ１、７Ｂ１を作動する作動棒２１Ａ、２１Ｂが、保持部材２０の前後
平行二辺２０Ａ、２０Ｂを前後に貫通して配置され、各作動棒２１Ａ、２１Ｂは、それぞ
れコイルバネ２２Ａ、２２Ｂによって、保持部材２０の後辺２０Ｂよりも後方へ延出する
状態に付勢されている。具体的には、各作動棒２１Ａ、２１Ｂはそれぞれストッパ２３Ａ
、２３Ｂを備え、コイルバネ２２Ａ、２２Ｂは、各前端が保持部材２０の前辺２０Ａの裏
側に当接し、各後端がストッパ２３Ａ、２３Ｂに当接している。これによって、蓋５を開
いた状態では、各作動棒２１Ａ、２１Ｂは、それぞれコイルバネ２２Ａ、２２Ｂによって
後方へ付勢され、それぞれのストッパ２３Ａ、２３Ｂが保持部材２０の後辺２０Ｂの前面
に当接した位置で、各作動棒２１Ａ、２１Ｂが保持部材２０の後辺２０Ｂよりも後方へ所
定長さ延出し、蓋５よりも後方へ所定長さ延出する状態である。
【００２３】
この構成において、蓋５が正規の閉じた状態（蓋５がチャンバー４の前面開口４Ａを密
閉する状態）では、蓋５から後方へ突出していた作動棒２１Ａ、２１Ｂの先端（後端）が
、滅菌器本体２の前壁２Ａに当接し、図６に上向き矢印で示すようにコイルバネ２２Ａ、
２２Ｂを圧縮するように作動棒２１Ａ、２１Ｂが押される。このため、閉蓋検出スイッチ
７Ａ、７Ｂのそれぞれの作動体７Ａ１、７Ｂ１が作動棒２１Ａ、２１Ｂによって押されて
、閉蓋検出スイッチ７Ａ、７ＢがＯＮ又はＯＦＦとなって閉蓋状態を検出し、閉蓋検出ス
イッチ７Ａ、７Ｂが接続された制御部が閉蓋状態であることを認識する。また、蓋５が偏
って正規の閉じた状態にない場合は、閉蓋検出スイッチ７Ａ、７Ｂの一つが閉蓋状態を検
出しないため、その場合は、制御部による動作に基づき、高圧蒸気滅菌器１の運転を開始
しないように制御する。なお、後述のように滅菌工程が終わって蓋５を開いた状態では、
それぞれコイルバネ２２Ａ、２２Ｂによって各作動棒２１Ａ、２１Ｂが後方へ移動するた
め、作動体７Ａ１、７Ｂ１を押す状態が解除され、閉蓋検出スイッチ７Ａ、７Ｂが復帰す
る。
【００２４】
上記のように、高圧蒸気滅菌器１の運転中（滅菌工程中）に蓋５が開くと、チャンバー
４内の高圧蒸気が漏れて危険である。このため、高圧蒸気滅菌器１の運転中は、回転ハン
ドル２０１を逆回転させて蓋５がチャンバー４の前面開口４Ａから離れることがないよう
にするために、回転ハンドル２０１の逆回転阻止手段（機構）３００を設けている。この
逆回転阻止手段（機構）３００は、開閉部材３の前面側においてハンドル軸２０１に円周
面に多数の係止歯３０１Ａを形成したラチェット歯部３０１を備え、開閉部材３に取り付
けたハンドル用ソレノイド３０２によってラチェット歯部３０１に対して噛み合い状態と
非噛み合い状態とに回動作動する係止爪部材３０３を備えている。
【００２５】
係止爪部材３０３は、中間部を開閉部材３に軸部３０４で回動可能に支持され、先端に
ラチェット歯部３０１に噛み合う係止部３０３Ａを形成し、後部がハンドル用ソレノイド
３０２のＯＮ又はＯＦＦによって作動するプランジャ３０６にコイルバネ３０５を介して
連結されている。この構成において、高圧蒸気滅菌器１の電源が接続されているが、まだ
運転が開始されていない状態（滅菌工程中ではない状態）では、ハンドル用ソレノイド３
０２のＯＮ又はＯＦＦ（実施例ではＯＦＦ、即ち非通電）によって、プランジャ３０６が
引き込まれていないため、係止部３０３Ａがラチェット歯部３０１の係止歯３０１Ａから
離れており、回転ハンドル２０１の正回転及び逆回転が自由である。
【００２６】
そして、高圧蒸気滅菌器１の運転が開始（滅菌工程開始）にて、ハンドル用ソレノイド
３０２のＯＮ又はＯＦＦ（実施例ではＯＮ、即ち通電）によって、プランジャ３０６が引
き込まれてコイルバネ３０５を図で右方へ引っ張り、それによって係止爪部材３０３が軸
部３０４を中心として図で時計方向へ回動する（図５の一点鎖線位置）ため、係止部３０
３Ａがラチェット歯部３０１の係止歯３０１Ａ相互間に侵入して噛み合い、回転ハンドル
２０１を逆回転させることを防止する。この動作は、閉蓋検出スイッチ７の検出（閉蓋検
出スイッチ７Ａ、７Ｂが共にＯＮ又はＯＦＦとなって閉蓋状態を検出した状態）に基づき
、制御部によってハンドル用ソレノイド３０１のＯＮ又はＯＦＦ（実施例ではＯＮ、即ち
通電）によって行われている。そして、所定の運転モードの終了によって、チャンバー４
内の温度と圧力が低下した安全状態において、ソレノイド３０１をＯＦＦしてプランジャ
３０６を退避させる。これによって回転ハンドル２０１のロック状態が解除され、回転ハ
ンドル２０１を回転させることができる状態となる。
【００２７】
回転ハンドル２０１の回転によって開閉部材３に対する蓋５の位置を調節することによ
り、横型チャンバー４の前面開口４Ａを確実に密閉する位置に蓋５を設定するが、この設
定操作は、上記のようにロック手段ＬＫによって操作取っ手１２を介して開閉部材３をロ
ックした状態で、回転ハンドル２０１の回転によって横型チャンバー４の前面開口４Ａを
密閉する位置に蓋５を移動させるか、または、予め回転ハンドル２０１の回転によって開
閉部材３に対する蓋５の位置を設定してから、開閉部材３をロック手段ＬＫによってロッ
クする状態まで回動させることにより、蓋５が横型チャンバー４の前面開口４Ａを密閉す
るか、いずれの操作順序でもよい。
【００２８】
図示の状態では、開閉部材３、蓋５、閉蓋検出スイッチ装置７、ソレノイド式ロック装
置２４、蓋位置調節装置２００、回転ハンドルの逆回転阻止手段（機構）３００が、高圧
蒸気滅菌器１の前面に露出した状態であるが、これら各部を覆う化粧カバーを設け、この
化粧カバーを開閉部材３及び蓋５と一体化させてヒンジ部１８で開閉回動可能に支持し、
この化粧カバーの前面に操作取っ手１２と回転ハンドル２０１が露出した状態とすれば、
これら各部の保護ができると共に開閉部材３及び蓋５の開閉操作が可能であって、高圧蒸
気滅菌器１の前面のデザインが向上したものとなる。
【産業上の利用可能性】
【００２９】
本発明は上記実施例に示した構成に限定されず、横型チャンバーの種々の形態の高圧蒸
気滅菌器に適用できるものであり、本発明の技術範囲において種々の形態を包含するもの
である。
【図面の簡単な説明】
【００３０】
【図１】本発明に係る高圧蒸気滅菌器の正面斜視図である。（実施例１）
【図２】本発明に係る高圧蒸気滅菌器の開閉部材３に係る部分の構成を示す正面斜視図である。（実施例１）
【図３】本発明に係る高圧蒸気滅菌器の開閉部材を省略した状態の構成を示す正面斜視図である。（実施例１）
【図４】本発明に係る高圧蒸気滅菌器のロックアームの状態を示す側面斜視図である。（実施例１）
【図５】本発明に係る高圧蒸気滅菌器の回転ハンドルの逆回転阻止手段（機構）の動作状態説明図である。（実施例１）
【図６】本発明に係る高圧蒸気滅菌器の閉蓋検出スイッチ部分斜視図である。（実施例１）
【符号の説明】
【００３１】
１・・・・・高圧蒸気滅菌器
２・・・・・滅菌器本体
２Ａ・・・・滅菌器本体の前壁
３・・・・・開閉部材
４・・・・・横型チャンバー
４Ａ・・・・チャンバーの前面開口
５・・・・・蓋
７・・・・・閉蓋検出スイッチ装置
７Ａ、７Ｂ・・・閉蓋検出スイッチ
７Ａ１、７Ｂ１・・・閉蓋検出スイッチの作動体
８・・・・・軸部
１０・・・・ロックアーム
１０Ａ・・・ロックアームの爪部
１０Ｂ・・・ロックアームの傾斜部
１１・・・・係止部
１２・・・・操作取っ手
１３・・・・軸部
１４・・・・ロック解除部
１８・・・・ヒンジ部
１９・・・・コイルバネ
２４・・・・ソレノイド式ロック装置
２５・・・・ロックソレノイド
２６・・・・プランジャ
２００・・・蓋位置調節装置
２０１・・・回転ハンドル
２０２・・・ハンドル軸
２０３・・・螺子部
３００・・・回転ハンドルの逆回転阻止手段（機構）
３０１・・・ラチェット歯部
３０１Ａ・・係止歯
３０２・・・ハンドル用ソレノイド
３０３・・・係止爪部材
３０４・・・軸部
３０５・・・コイルバネ
ＬＫ・・・・ロック手段
【図１】
0004832379.tif 000002
【図２】
0004832379.tif 000003
【図３】
0004832379.tif 000004
【図４】
0004832379.tif 000005
【図５】
0004832379.tif 000006
【図６】
0004832379.tif 000007